(57)【要約】      （修正有）【課題】ジグヘッドやラバージグ、スモラバ、餌木等の漁具においては、根がかりを回避しやすくし、それらをアクションさせることが容易である漁具の提供。【解決手段】錘３をフック１の下部に配置し、バンパーアーム部５を設けることにより、水中の障害物をすり抜けるよう設計した。また、水の抵抗を受ける為のカップやペラ、等を設けルアー本体に、容易にアクションさせることを可能にした。また、接続部１２を使用することで、アピールを高める為のブレードや、アシストフック、錘を追加する等、拡張性も備えた。さらに、使用する餌やワーム等を容易に抜け落ちないよう工夫した。【選択図】図１
2019110887.tif 000002
【特許請求の範囲】
【請求項１】
３錘を１フックの下部に配置し５バンパーアーム部を設けることによって、水中の障害物をすり抜けて使用できるよう設計した。
【請求項２】
水の抵抗を受ける為の、８カップやリップ、９ペラ等を搭載することで容易にアクションさせることを可能にした。
【請求項３】
７、１２の接続部を使用することで、アピールを高める為のブレードや、錘、等を追加する等、さらなる拡張性も備えた。また、７、１２の接続部は、本体の様々な部分に搭載することができ、接続部にアシストフックを追加したり釣果を高めることもできる。
【請求項４】
４の軸に餌やワーム等を１０のずり抜け防止部分まで通し刺しし、６のホールド部で固定、３のフックで再度固定することで、容易にずり落ちたりしないようにした。餌やワーム等のサイズ、またはターゲット合わせて１０、６、３は、それぞれ必ずしも使用しなければならないわけではない。
【請求項５】
１、２、３、７、８、９、１０、１２、１３、１４、１５、１６、１７の位置、角度、重さや形状、サイズ等、また４、５、６、１１の素材、太さ、長さや角度、または、途中で折り目を付けたり、曲線を持たせたりすることは、釣るターゲットに合わせて変化させ成型する。また、それらを複数個使用したりカスタマイズすることで、さらなる釣果アップする工夫もできる。
【請求項６】
最も容易に本発明を実現させる手段として、既存のジグヘッド、ラバージグ、スモラバ、餌木等に４軸、５バンパーアーム部、３錘部、６ホールド部等を追加することで、本発明を成型することも可能である。
【請求項７】
また詳細は、明細書「発明を実施するための形態」に記載、それに準ずることとする。
【発明の詳細な説明】
【技術分野】
【０００１】  本発明は、フックの下部に錘を配置し、バンパーアーム部を設けることにより、この漁具を根がかりしにくい形状にし、さらに餌やワーム等を簡単には抜け落ちないようにすることに関する。また、このような漁具にアクションを付ける為に、錘の形状を工夫する等の限られた方法以外の水の抵抗を受けるようにも設計した。
【背景技術】
【０００２】  この種の漁具において、フックの前方に錘を配置することにより錘が水中の障害物に当たると、そのままフックが倒れ根がかりを誘発していた。また、餌やワームがずれたり、容易に抜け落ちた。
【先行技術文献】
【非特許文献１】特許  平０８−３５６８２８（平８．１２．２６）図３
【発明の概要】
【発明が解決しようとする課題】
【０００３】  これまでの漁具は、進む進行方向の同一線上にフックがあるという構造上、どうしても回避することができない根がかりがあった。また、このようなルアーにアクションさせる為には、もっと他の要因で容易にアクションさせる構造が必要だった。
【課題を解決しようとする手段】
【０００４】  本発明に係る漁具は、図１のようにラインアイ、錘、フックが同一線上にならないように、錘をフック下部に配置し、なおかつバンパーアーム部を設けることで障害物を回避させ、根がかりを回避しやすいよう設計した。
【０００５】  また、ルアー本体に８や、９等を設ける事で、容易にアクションさせることができるよう設計した。
【０００６】  さらに７や１２の接続部を設けることにより、使用者の任意で、ルアーをより魚にアピールすることができる、ブレードやラバー・羽根等、または、錘や針、ビーズ等を追加できるように設計した。その組み合わせによるバリエーションは、様々ある。
【発明の効果】
【０００７】  本発明においては、ラインアイ、錘、フックを同一線上から外したこと、錘をフック下部に配置したこと、バンパーアーム部を設けたことにより、これまでの漁具と比べ、飛躍的に障害物を回避することが可能になった。また、ルアー本体に設けたカップ（リップ）部やペラやブレード等が、アクションを容易にし、７や１２の接続部の拡張性により、ブレード等、好みの物を追加することで、楽しくカスタマイズできるようにした。さらに、使用する餌やワーム等が容易に抜け落ちなくなった。
【図面の簡単な説明】
【０００８】
【図１】本発明に係るルアーの側面図
【図２】実際の使用例
【図３】８カップやリップのバリエーションの一例
【図４】９ペラのバリエーションの一例
【図５】付属品接続部の一例
【発明を実施するための形態】
【０００９】  既存の疑似餌や餌木等の漁具は、根がかりを回避するための配慮に欠けるものが多い。根がかりを回避し、且つ、釣りのターゲットにしっかりアピールし、使用する餌やワーム等を、仕掛けから抜け落ちなくする工夫を施した形態ものが根幹となる。
この漁具は、釣りの対象となる相手が、魚だけではなく、イカやタコ、カニ等も釣ることができるので、対象魚という文言を使用せず、釣りのターゲットという表現をする。
この漁具は、ルアーという要素だけに留まらず、餌木等、他の用途としても使用することができる為、ルアー・餌木等という表現を用いず、漁具と表現する。
また、そのターゲットが、様々な種類やサイズに及び、そのターゲットに合わせて成型する形状も、それぞれの部位のサイズや素材、バランスもそれぞれ微妙に変わるので、それらを図面や文章によって表現することにする。
［図１］にあるように、基本的な形状は、根がかりを回避する為に、１のフック部分が水中の障害物に絡む前に、５のバンパーアーム部が先に当たり、障害物をかわす構造になっている。３の錘部を、本体の下に配置することにより、本体が水底に接した場合でも、仕掛けの上下をしっかりと保ち、より根がかりがおきない構造になっている。また、ターゲットによって、水底に置くように使用する場合、３の錘部の形状を、仕掛け全体が水底にバランス良く立つように成型する。水底に接しない場合、この限りではない。
小さく分かりにくい構造ではあるが、餌やワーム等を、いわゆる通し刺しする軸となる４に、１０のずり抜け防止の工夫もある。４の軸に、段差を設けたり、糸やワイヤー等を巻いたりすることで、使用する餌やワーム等を内側から締めるようになっている。
餌やワーム等を、通し刺しした後に、６のホールド部で刺したり抑えることにより、より一層、抜け落ちにくくなる。最後に、１１の先に配置したフックを、餌やワーム等に刺すことにより、仕掛けが完成する。仕掛けの完成図の一例が、［図２］である。
また、これらの機能の全てを必ずしも搭載させる必要はなく、ターゲットに応じて搭載したりしなかったりする。例えば、使用する餌やワームが極端に小さく、１０のずり抜け防止部がなくても、抜け落ちないなら、搭載する必要はなく、１のフック部に刺す必要がなければ、刺さなくても良い。６も同様である。
使用する餌やワーム等によっては、以上の抜け落ち防止策を施しても本体に取り付けることが困難な場合、糸やワイヤー等を使用し、巻き付けて使っても良い。
餌やワーム等を、単一で使用するだけでなく、様々な組み合わせでさらなる集魚効果を発揮する使い方もある。例えば見た目のアピールにはワームを使用し、餌の匂いを追加したい場合、４の軸にワームを刺し、１や６に餌を刺して使用したり、７や１２の接続部を利用し、餌や匂いを放つモノを装着したり、その時々において最も使いたいやり方で、カスタマイズして使用することができる。
この漁具は構造上、５のバンパーアーム部と３の錘部が、水の抵抗を受ける為、このままでも餌やワームにアクションを付け、魚にアピールする動きをするが、［図３］や［図４］のように、リップやカップ、ペラ等を搭載することにより、さらなるアピールをすることが可能である。また［図５］のように、ブレードや羽、ラバー等を７や１２の接続部に付属させることでも、本体や、餌、ワーム等に振動を与えることができる。ブレード等の形状や数、設置位置は、ターゲットや、使用する餌やワーム等とのバランスにより変わる。
１、４、５、６、１１等には、ゴム管やチューブ等で１７の発光体や、匂い等の集魚効果があるモノを装着することができる。１、４、５、６、１１にラバーを巻くことで、よりアピール力を高めることができる。また、それらの場所に、クレビス、スイベル等を用いて接続する方法もある。
１や１４の針先の向きは、釣るターゲットに応じて３６０度、どの向きでも良いこととする。１と１４は、シングルフックに限らず、釣る対象によりダブルフック・トレブルフック・四本針・餌木用カンナ等、どのような針を用いても良い。
１は１１から取り外し式にすることで、１の形状を簡単に変えることができる。また、１と１１を複数本に増やし、さらにフッキング回数を増やしても良い。
１のフックを、本体に結束する１１のアーム部は、針金等の金属製のものだけではなく、ターゲットに応じて各種ライン等で結んでも良い。
２の形状は、この漁具の全体的なバランスに応じて成型し、丸型や三角等に限定しない。２の位置、角度や、４、５、６の長さや角度、素材、形体、または、それぞれ途中で折り目を付けたり、曲線を持たせたりすることは、釣るターゲットに合わせて成型する。１の形状、３の重さや形状、素材、８や９のサイズや形状、素材も釣るターゲットに合わせて成型する。３と５は取り外し式にすることで、３の重さや形状を簡単に変えることができる。また、錘を追加したりもできる。
５を複数本に増やすことにより、さらに根がかり回避能力を高めることができる。４、５、６、１１は針金状のワイヤー形状に限らず、板状のものや、さらに板状に波型や、凸凹状に加工しても良い。４、５、６、１１は性質上、水を受け本体にアクションをもたらすものなので、釣るターゲットや、使用する餌やワーム等に合わせて、それぞれ設計、成型し加工をする。特に５は、８のように水を受けやすく設計することで、本体そのものにさらにアクションを加えることもできる。
６を複数本に増やすことにより、さらにホールド力を高めたり、アピール力を高めても良い。３を複数個使用し、重さを変え、ターゲットのいる層の水深に合わせて調節することができる。
６の位置は、この他にも４の下側や４を挟み込むよう設置しても良い。６の形状は、使用する餌やワームの形やサイズに応じ、櫛状に複数本配置したりもできる。
全ての部位を配置する間隔や、サイズ、形状は、釣るターゲットや使用する餌・ワーム等に応じてバランスを考えて配置し成型するものとする。
７や１２を配置することで、アピールを高める為のブレードや、錘、ペラ、ラバー等を追加したり、アシストフックや餌木用のカンナ等を追加することができ、さらなる拡張性を備えた。また、７や１２の接続部は、３の錘部の後方に配置するだけでなく、１、４、５、６、１１に配置することも可能である。水中の障害物が過少な時、７や１２に針を追加し釣果を高めることもできる。また、それらの場所に、クレビス、スイベル等を用いて追加することもできる。
最も容易に本発明を実現させる手段として、既存のジグヘッド、ラバージグ、スモラバ、餌木等の軸の部分に３、４、５、６、７を追加することで、本発明を成型することもできる。
また、一般的にジグヘッド、ラバージグ、スモラバと呼ばれるルアーの類はフック部等に任意のゴム製ワーム等を装着して使用するが、そのフック部等そのものに、金属・樹脂・ゴム・シリコン・プラスチック等で、魚や烏賊等の水生生物を模した物や他のあらゆる形状の物を、あらかじめ成型した上で完成となる物もある。この漁具においても、そのような方法を用いる事により集魚効果を高める様々な工夫を追加して使用できるものとする。
全ての部位の素材となる針金類・錘・フック・カップ・リップ・ペラ・ブレード等は、金属・樹脂・ゴム・シリコン・プラスチック、各種ライン等、あらゆる素材を使用して成型することが可能である為、素材を個別に限定しない。
上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【符号の説明】
【００１０】  １  フック
２  ラインアイ
３  錘
４  軸
５  バンパーアーム部
６  ホールド部
７  錘やブレード、アシストフック等を付属させる際に使用する接続部
８  水の抵抗を受ける為の、カップやリップになる部分
９  ペラ
１０  すり抜け防止部
１１  フックと本体を繋ぐワイヤーやライン等
１２  アシストフックやブレード等を結ぶ結束部
１３  ビーズや錘等
１４  アシストフック等
１５  ブレード等
１６  スイベル等
１７  発光体や、匂い等の集魚効果があるモノ
【図１】
2019110887.tif 000003
【図２】
2019110887.tif 000004
【図３】
2019110887.tif 000005
【図４】
2019110887.tif 000006
【図５】
2019110887.tif 000007